(57)【特許請求の範囲】
【請求項１】
平担な中央本体（６）を含む型枠堰板（１０、１０ａ、１０ｂ、１０ｃ）において、中央本体（６）が第１の側で第１系列の平坦な舌状部（１）によって、かつ反対側の第２の側では第２系列の平坦な舌状部（３）によって延長されており、平坦な舌状部（１、３）は、同一系列の平坦な舌状部（１、３）間に間隔を残しながら、本体（６）の平面内に延在しており、型枠堰板（１０、１０ａ、１０ｂ、１０ｃ）がさらに、第１および第２の傾斜した舌状部（４、７；２、７）のセットを有し、第１セットの少なくとも一部の傾斜した舌状部（４、７）が第１系列の２つの平坦な舌状部（１）間の間隔内に延在し、第２セットの各々の傾斜した舌状部（２、７）が第２系列の２つの平坦な舌状部（３）間の間隔内に延在しており、第１および第２セットの傾斜した舌状部（４、７；２、７）が、各々傾斜した部分（２、４）と、平坦な舌状部（１、３）に平行に延在する平坦な遠位端部部分（７）とを含んで、平担な中央本体（６）から離れる方向に傾斜していることを特徴とする、型枠堰板。
【請求項２】
傾斜した舌状部（４、７；２、７）の各傾斜した部分（２、４）が、平担な遠位端部部分（７）と一定の角度を成し、この角度が１００°〜１２０°、好ましくは１１０°〜１１５°であることを特徴とする、請求項１に記載の型枠堰板（１０、１０ａ、１０ｂ、１０ｃ）。
【請求項３】
前記角度が１１２°に等しいことを特徴とする、請求項２に記載の型枠堰板（１０、１０ａ、１０ｂ、１０ｃ）。
【請求項４】
各々の傾斜した舌状部（４、７；２、７）の傾斜した部分（２、４）が、平担な連結部分（８）により中央本体（６）に結び付けられていることを特徴とする、請求項１〜３のいずれか一つに記載の型枠堰板（１０、１０ａ、１０ｂ、１０ｃ）。
【請求項５】
中央本体（６）の、舌状部（１、４、７；３、２、７）を担持しない側が、各々タブ（５）を担持していることを特徴とする、請求項１〜４のいずれか一つに記載の型枠堰板（１０、１０ａ、１０ｂ、１０ｃ）。
【請求項６】
第１の側の第１系列の平坦な舌状部（１）が、第２の側の第２系列の平坦な舌状部（３）との関係においてずれており、第１系列の各々の平坦な舌状部（１）が第２系列の２つの平坦な舌状部（３）の間の間隔と整列させられており、その逆も成立し、２つの平坦な舌状部系列（１、３）のうちの一方（３）が他方の系列よりも１つ多い舌状部を含み、１つ多い舌状部を含む前記平坦な舌状部系列（１）に付随する傾斜した舌状部（２、７）のセットが、１つ少ない傾斜した舌状部（２、７）を含んでいることを特徴とする、請求項１〜５のいずれか一つに記載の型枠堰板（１０、１０ａ、１０ｂ、１０ｃ）。
【請求項７】
第１および第２の系列の平坦な舌状部（１、３）の数がそれぞれ３つおよび４つであり、一方第１および第２のセットの傾斜した舌状部（４、７；２、７）の数がそれぞれ４つおよび３つであることを特徴とする、請求項６に記載の型枠堰板（１０、１０ａ、１０ｂ、１０ｃ）。
【請求項８】
第１および第２の系列のうちの同一系列の平坦な舌状部（１、３）の幅が、この系列の全ての舌状部について一定であり、第１および第２系列のうち一方の系列の平坦な舌状部（１、３）間の間隔の幅が、他方の系列の平坦な舌状部（３、１）の幅と等しいことを特徴とする、請求項１〜７のいずれか一つに記載の型枠堰板（１０、１０ａ、１０ｂ、１０ｃ）。
【請求項９】
堰板（１０、１０ａ、１０ｂ、１０ｃ）が凝集小片からなる成形木材製の型枠堰板であることを特徴とする、請求項１〜８のいずれか一つに記載の型枠堰板（１０、１０ａ、１０ｂ、１０ｃ）。
【請求項１０】
堰板（１０、１０ａ、１０ｂ、１０ｃ）が木製であるかまたは凝集小片をベースとしていることを特徴とする、請求項１〜８のいずれか一つに記載の型枠堰板（１０、１０ａ、１０ｂ、１０ｃ）。
【請求項１１】
堰板（１０、１０ａ、１０ｂ、１０ｃ）が成形されていることを特徴とする、請求項１０に記載の型枠堰板（１０、１０ａ、１０ｂ、１０ｃ）。
【請求項１２】
−  本体（６）が同一の第１の平面内に配置されるような形で互いに接合している少なくとも２つの第１の型枠堰板（１０、１０ａ）と、
−  本体（６）が、第１の平面とは異なりかつ第１の平面に対し平行である同一の第２の平面内に配置されるような形で互いに接合している少なくとも２つの第２の型枠堰板（１０ｂ、１０ｃ）と、
を含み、
−  前記少なくとも２つの第１の堰板（１０、１０ａ）および第２の堰板（１０ｂ、１０ｃ）は、互いに距離を置いてかつ背中合せで、すなわちその傾斜した舌状部（４、７；２、７）が、第１の堰板（１０、１０ａ）および第２の堰板（１０ｂ、１０ｃ）の間に間置される容積（９）を少なくとも部分的に画定するように対面する形で配置されおり、
−  前記少なくとも２つの第１および第２の堰板（１０、１０ａ、１０ｂ、１０ｃ）の傾斜した舌状部（４、７；２、７）は、協働して、傾斜した舌状部（４、７；２、７）により少なくとも部分的に画定された周囲を有する少なくとも３つのゾーン（Ａ、Ｂ）を前記容積（９）内に形成するように成型されている、
ことを特徴とする、請求項１〜１１のいずれか一つに記載の少なくとも４つの型枠堰板（１０、１０ａ、１０ｂ、１０ｃ）を含む型枠（１１）。
【請求項１３】
前記少なくとも２つの第１の堰板（１０、１０ａ）の傾斜した舌状部（４、７；２、７）の平坦な遠位端部部分（７）が、前記少なくとも２つの第２の堰板（１０ｂ、１０ｃ）上に載置されており、その逆も成立する、請求項１２に記載の型枠。
【請求項１４】
型枠（１１）が、舌状部（１、４、７；３、２、７）を有していない１つの側で前記少なくとも２つの第１の堰板（１０、１０ａ）および第２の堰板に隣接しながら、前記少なくとも２つの第１の堰板（１０、１０ａ）および第２の堰板（１０ｂ、１０ｃ）に対して側方に配置された型枠堰板（１０ｄ〜１０ｇ）を含み、各型枠堰板（１０、１０ａ〜１０ｇ）が、舌状部（１、４、７；３、２、７）を担持していない各側に側方タブ（５）を有しており、各堰板（１０、１０ａ、１０ｂ、１０ｃ）の側方タブ（５）が、側方に設置された１つの堰板（１０ｄ〜１０ｇ）の本体（６）と協働して、およびその逆で、２つの堰板（１０、１０ａ〜１０ｇ）を互いとの関係において維持していることを特徴とする、請求項１２または１３に記載の型枠（１１）。
【請求項１５】
前記２つの第１の堰板（１０、１０ａ）のうちの一方の堰板（１０）の平坦な舌状部（１、３）が、前記２つの第１の堰板（１０、１０ａ）のうちの他方の堰板（１０ａ）の平坦な舌状部（３ａ、１ａ）の間の間隔の中に進入し、前記２つの第２の堰板（１０ｂ、１０ｃ）のうちの一方の堰板（１０ｂ）の平坦な舌状部が、前記２つの第２の堰板（１０ｂ、１０ｃ）のうちの他方の堰板（１０ｃ）の平坦な舌状部間の間隔の中に進入することを特徴とする、請求項１２〜１４のいずれか一つに記載の型枠（１１）。
【請求項１６】
前記少なくとも３つのゾーン（Ａ、Ｂ）の第１のゾーン（Ａ）が、一方では、前記少なくとも２つの第２の堰板（１０ｂ、１０ｃ）のうちの一方の堰板（１０ｂ）の傾斜した舌状部（４、７；２、７）間に挿入される前記少なくとも２つの第１の堰板（１０、１０ａ）のうちの一方の堰板（１０）の傾斜した舌状部（４、７；２、７）によって、そして他方では前記少なくとも２つの第２の堰板（１０ｂ、１０ｃ）のうちのもう一方の堰板（１０ｃ）の傾斜した舌状部（４、７；２、７）間に挿入される前記少なくとも２つの第１の堰板（１０、１０ａ）のうちのもう一方の堰板（１０ａ）の傾斜した舌状部（４、７；２、７）によって画定されており、前記第１のゾーン（Ａ）は、それぞれ、前記少なくとも２つの第１の堰板（１０、１０ａ）および第２の堰板（１０ｂ、１０ｃ）の互いの延長部分内の接合部のレベルに存在することを特徴とする、請求項１２〜１５のいずれか一つに記載の型枠（１１）。
【請求項１７】
２つの第１および第２の堰板（１０、１０ｂ；１０ａ、１０ｃ）に付随する傾斜した舌状部（４、７；２、７）がＸ字形を形成し、それぞれ第１のゾーン（Ａ）の各側を閉鎖していることを特徴とする、請求項１６に記載の型枠（１１）。
【請求項１８】
少なくとも壁（１３）または床（１４）またはヴォールト（１５）または天井（１６）、あるいはこれらの要素（１３〜１６）のうちの少なくとも２つを含むタイプの建築アセンブリ（１２〜１５）において、請求項１２〜１７のいずれか一つに記載の少なくとも１つの型枠（１１）を含み、前記少なくとも３つのゾーン（Ａ、Ｂ）がコンクリート、セメント、粘土、藁、土、結合剤または圧縮粘土タイプの選択的材料で充填されていることを特徴とする、建築アセンブリ。
【請求項１９】
選択的材料が、コンクリートまたは圧縮粘土または土または藁であることを特徴とする、請求項１８に記載の建築アセンブリ（１２〜１５）。
【請求項２０】
前記少なくとも３つのゾーン（Ａ、Ｂ）のうちの少なくとも１つ（Ａ）には硬化性材料が充填されることを特徴とする、請求項１８または１９に記載の建築アセンブリ（１２〜１５）。
【請求項２１】
型枠（１１）にはネジタイプの固定用手段が横断しており、これらの固定用手段が、前記少なくとも３つのゾーン（Ａ、Ｂ）の充填後に選択的材料内に埋設されることを特徴とする、請求項１９または２０に記載の建築アセンブリ（１２〜１５）。
【請求項２２】
−  少なくとも２つの第１の堰板（１０、１０ａ）を得るために、一方の堰板の平坦な舌状部（１、３）を他方の堰板の平坦な舌状部（３、１）間の間隔の中に挿入することによって、互いの延長部分の中に配置された少なくとも２つの堰板（１０、１０ａ）を一体化する工程、
−  少なくとも２つの第２の堰板（１０ｂ、１０ｃ）を得るために、一方の堰板の平坦な舌状部（１、３）を他方の堰板の平坦な舌状部（３、１）間の間隔の中に挿入することによって、互いの延長部分の中に配置された２つの堰板を一体化する工程、
−  前記少なくとも２つの第１の堰板（１０、１０ａ）および２つの第２の堰板（１０ｂ、１０ｃ）を、それらの傾斜した舌状部（４、７；２、７）が対面した形で位置づけする工程、
−  前記少なくとも２つの第１の堰板（１０、１０ａ）の傾斜した舌状部（４、７；２、７）の平坦な遠位端部部分（７）が、前記少なくとも２つの第２の堰板（１０ｂ、１０ｃ）上に載置されるまで、およびその逆が成立するまで、前記少なくとも２つの第２の堰板（１０ｂ、１０ｃ）の傾斜した舌状部（４、７；２、７）の間に、前記少なくとも２つの第１の堰板（１０、１０ａ）の傾斜した舌状部（４、７；２、７）を挿入する工程、
−  前記少なくとも２つの第１の堰板（１０、１０ａ）および第２の堰板（１０ｂ、１０ｃ）の傾斜した舌状部（４、７；２、７）が、前記少なくとも２つの第１の堰板（１０、１０ａ）と前記少なくとも２つの第２の堰板（１０ｂ、１０ｃ）の間の容積（９）の中で、少なくとも３つのゾーン（Ａ、Ｂ）を少なくとも部分的に画定しており、第１のゾーン（Ａ）の１つの側の画定のためには、前記少なくとも２つの第１の堰板（１０、１０ａ）のうちの一方の堰板（１０）の傾斜した舌状部（４、７；２、７）が前記少なくとも２つの第２の堰板（１０ｂ、１０ｃ）のうちの一方の堰板（１０ｂ）の傾斜した舌状部（４、７；２、７）間に挿入されており、第１のゾーン（Ａ）の反対の側の画定のためには、前記少なくとも２つの第１の堰板（１０、１０ａ）のうちの他方の堰板（１０ａ）の傾斜した舌状部（４、７；２、７）が前記少なくとも２つの第２の堰板（１０ｂ、１０ｃ）のうちの他方の堰板（１０ｃ）の傾斜した舌状部（４、７；２、７）間に挿入されていること、
−  前記少なくとも２つの第１の堰板（１０、１０ａ）および第２の堰板（１０ｂ、１０ｃ）の舌状部を担持していない少なくとも１つの側に、側方堰板（１０ｅ〜１０ｇ）を位置づけし維持する工程、
−  必要な場合、前記少なくとも２つの第１の堰板（１０、１０ａ）および第２の堰板（１０ｂ、１０ｃ）の延長部分内に補足的堰板を位置づけすると同時に、第１のゾーン（Ａ）を含めた前記少なくとも３つのゾーン（Ａ、Ｂ）を形成するため、および／または前記少なくとも２つの第１の堰板（１０、１０ａ）および第２の堰板（１０ｂ、１０ｃ）に対して補足的側方堰板（１０ｆ〜１０ｇ）を位置づけするために、前述の各工程を反復する工程、
−  建築アセンブリ（１２〜１５）の製造のために前記少なくとも１つの型枠（１１）の構築が完了した時点で、コンクリート、セメント、粘土または結合剤タイプの材料を単数の第１のゾーン（Ａ）または第１のゾーン（Ａ）各々の中に導入する工程、
−  必要な場合、前記少なくとも３つのゾーン（Ａ、Ｂ）の残りのゾーン（Ｂ）内に材料を導入する工程、
を特徴とする、請求項１９〜２１のいずれか一つに記載の建築アセンブリ（１２〜１５）の製造方法。
【発明の詳細な説明】
【技術分野】
【０００１】
本発明は、型枠堰板を用いた型枠による不動産建築のための補助要素の分野に関する。本発明は、少なくとも１つの自己安定型捨型枠が使用される建物向けのあらゆるタイプの建築用要素、例えば壁、床、ヴォールト、および天井などの建設の分野に応用されると極めて有利である。
【背景技術】
【０００２】
充填材料が充填されて、固化され可変的形状の建築用要素向けの骨組みを形成する型枠を作製するための型枠堰板としては、複数のタイプが存在する。
【０００３】
仏国特許出願公開第９１３７７２号明細書は、建築用要素およびこの要素上の装飾的機構を建造するのに用いられる流動性充填材料を不動化するためにも役立つ型枠について記載している。この文書中に記載されている型枠は、互いに一体化されたパネルとスペーサーを各々含む部品をベースにして作製され、ここでスペーサーはパネルに直交して延在している。
【０００４】
型枠は、複数の部品で形成されており、そのうちの少なくとも２つの部品は、充填材料を収容するための平行６面体の内部空間を画定しながら、上下互い違いに置かれている。内部空間の画定は、２つの部品によって形成されたアセンブリの相対する２つの側の各々ではスペーサーによって、そして他の各々の側ではパネルによって得られる。パネルは、壁の見え掛かり部分を形成するようになっており、一方スペーサーは、充填材料内に埋没している。前述の通りの２つの部品で形成された連続したアセンブリの場合には、２つの連続したアセンブリのスペーサーの各々には孔が開けられており、充填材料が２つの部品のアセンブリから次のアセンブリに向かって流動して、連続したアセンブリの内部空間を充填するようになっている。
【０００５】
このような型枠は、多くの欠点を有する。第１に、連続したアセンブリの複数の系列を互いに接して側方に置くという条件でしか、この型枠を側方に拡大することはできない。一方で、連続した２つの部品のスペーサー間に追加される要素による一体化を想定しなければならず、この要素は例えば「Ｃ字形緊結金具」であることから、型枠堰板の一体化様式は容易ではない。最後に、単一部品は、パネルに直交するスペーサーが存在するため、外形寸法が常に大きくなる。
【先行技術文献】
【特許文献】
【０００６】
【特許文献１】仏国特許出願公開第９１３７７２号明細書
【発明の概要】
【発明が解決しようとする課題】
【０００７】
本発明の目的は、一方では、複数の堰板で形成された型枠を単純かつ効果的な形で得るために、他の堰板との適応が容易でありながら外形寸法が最小限である型枠堰板を構想することにあり、他方では、このように形成された型枠について、型枠の内部へ充填材料を完全に導入する前であってもこの型枠を構成する堰板の維持を保証することにある。
【課題を解決するための手段】
【０００８】
このため、本発明は、好ましくは矩形の平担な中央本体を含む型枠堰板に関する。中央本体は、第１の側で第１系列の平坦な舌状部によって、かつ反対側の第２の側では第２系列の平坦な舌状部によって延長されており、平坦な舌状部は、同一系列の平坦な舌状部間に間隔を残しながら、本体の平面内に延在しており、型枠堰板はさらに、第１および第２の傾斜した舌状部のセットを有し、第１セットの傾斜した舌状部は、第１系列の２つの平坦な舌状部間の間隔内に少なくとも一部、そして好ましくは各々延在し、第２セットの傾斜した舌状部は、第２系列の２つの平坦な舌状部間の間隔内に少なくとも一部、そして好ましくは各々延在しており、第１および第２セットの傾斜した舌状部は、各々傾斜した部分と平坦な舌状部に平行に延在する平坦な遠位端部部分とを含んで、平担な中央本体から離れる方向に傾斜している。
【０００９】
その平担な矩形の本体のために、ほぼ平担であるこのような型枠堰板は、小さい外形寸法を有する。これにより特に、傾斜した舌状部がスタックの上方を向いている状態で、型枠堰板をその使用前に特にパレット上に容易に積み重ねることが可能となる。
【００１０】
その上、１つの堰板とその延長部分内にある１つの堰板との一体化の様式は、平坦な舌状部とそれらの間の間隔の形ですでに堰板上に存在しており、これによりこのような堰板の一体化が単純なものになる。
【００１１】
このことは、堰板の２つの側の平坦な舌状部の系列の異なる分布によって可能となっており、ここでこれらの系列は相補的であり、第１の堰板の１つの側の舌状部の第１系列の舌状部は、第１の堰板の延長部分内に配置された第２の堰板の舌状部の第２系列の舌状部の間に挿入され得る。
【００１２】
各傾斜した舌状部の平担な遠位端部部分は、対面して堰板の本体上に支えられるようになっており、堰板相互の暫定的安定性に少なくとも貢献し、このときこれらの堰板は１つの型枠を形成する。
【００１３】
最後に、傾斜した舌状部は、対面する堰板の傾斜した舌状部とともに、対面する２つの堰板間で１つの容積を画定することを可能にし、この容積は型枠の容積を形成し、少なくとも部分的に、充填材料と呼称される材料を収容するようになっている。この容積の少なくとも一部の中に材料を少なくとも部分的に導入することにより、傾斜した舌状部を材料内に埋設し、かつこれらの傾斜した舌状部の偶発的な移動をことごとく妨げながらアセンブリの剛性を高めることを可能にし、こうして型枠は自ら維持を安定化させることになる。
【００１４】
本発明の別の目的によると、
−  本体が同一の第１の平面内に配置されるような形で互いに接合している少なくとも２つの第１の型枠堰板と、
−  本体が、第１の平面とは異なりかつ第１の平面に対し平行である同一の第２の平面内に配置されるような形で互いに接合する少なくとも２つの第２の型枠堰板と、
を含み、
−  前記少なくとも２つの第１および第２の堰板は、互いに距離を置いてかつ背中合せで、すなわちその傾斜した舌状部が、第１の堰板および第２の堰板の間に間置される容積を少なくとも部分的に画定するように対面する形で配置されており、
−  前記少なくとも２つの第１および第２の堰板の傾斜した舌状部は、協働して、傾斜した舌状部により少なくとも部分的に画定された周囲を有する少なくとも３つのゾーンを前記容積内に形成するように成型されている、
ことを特徴とする、少なくとも４つのこのような型枠堰板を含む型枠が想定されている。
【００１５】
型枠堰板に関してすでに言及し型枠についてもあてはまる利点に加えて、本発明に係る型枠は、型枠の内部容積を複数のゾーンに分割している。
【００１６】
これにより、２つずつまとめられた４つの堰板について、材料を唯一第１のゾーンだけに充填して、このように組付けられた型枠を少なくとも予備的に維持でき、しかもこの維持が有利にも最終的なものであり続けるようにすることが可能となり、ここでこの第１のゾーンは対面した状態にある第１および第２の堰板の傾斜した舌状部のセットの協働によって画定されている。
【００１７】
こうして、第１および第２の堰板について、つまり同様に一体化された他の２つの堰板と対面した少なくとも２つの一体化された堰板というような少なくとも４つの堰板について、第１のゾーン内に打設すべき材料の量は、第１および第２の堰板の間の容積全体の中に打設すべき量と比べて削減される。本発明において提案されているような傾斜した舌状部を組み合わせることにより、材料の充填のために第１および第２の堰板にほぼ直交する方向で閉鎖された少なくとも１つの第１のゾーンを得ることができ、ここから、残りの容積内の材料の損失はほとんど無くなる。
【００１８】
本発明の別の目的によると、少なくとも壁か、床か、ヴォールトかまたは天井、あるいはこれらの要素のうちの少なくとも２つを含むタイプの建築アセンブリにおいて、このような少なくとも１つの型枠を含み、前記少なくとも３つのゾーンのうちの少なくとも第１のゾーンがコンクリート、セメント、粘土、または結合剤タイプの硬化性材料で充填されていることを特徴とする建築アセンブリが想定されている。
【００１９】
充填された第１のゾーンは有利には、例えば、第１、第２、第３および第４の型枠堰板の傾斜した舌状部によって画定された１つのゾーンに対応する縮小されたゾーンである。この充填により、型枠の組立て安定性、そして次に機能安定性を確保することができる。材料は、硬化性であるかまたは閉鎖された袋に入っており、有利には、型枠を可能なかぎり速く固めるため速乾性である。その後、型枠の他のゾーンにも同様に、第１のゾーンの材料と類似したもの、またはそれとは異なるものであり得る材料を充填することができる。
【００２０】
本発明の範囲内では、
−  少なくとも２つの第１の堰板を得るために、一方の堰板の平坦な舌状部を他方の堰板の平坦な舌状部の間の間隔の中に挿入することによって、互いの延長部分の中に配置された少なくとも２つの堰板を一体化する工程、
−  少なくとも２つの第２の堰板を得るために、一方の堰板の平坦な舌状部を他方の堰板の平坦な舌状部の間の間隔の中に挿入することによって、互いの延長部分の中に配置された２つの堰板を一体化する工程、
−  前記少なくとも２つの第１の堰板および２つの第２の堰板を、それらの傾斜した舌状部が対面した形で位置づけする工程、
−  前記少なくとも２つの第１の堰板の傾斜した舌状部の平坦な遠位端部部分が、前記少なくとも２つの第２の堰板上に載置されるまで、およびその逆が成立するまで、前記少なくとも２つの第２の堰板の傾斜した舌状部の間に、前記少なくとも２つの第１の堰板の傾斜した舌状部を挿入する工程、
−  前記少なくとも２つの第１の堰板および第２の堰板の傾斜した舌状部が、前記少なくとも２つの第１の堰板と前記少なくとも２つの第２の堰板の間の容積の中で少なくとも３つのゾーンを少なくとも部分的に画定しており、第１のゾーンの１つの側の画定のためには、前記少なくとも２つの第１の堰板のうちの一方の堰板の傾斜した舌状部が前記少なくとも２つの第２の堰板のうちの一方の堰板の傾斜した舌状部間に挿入されており、第１のゾーンの反対側の画定のためには、前記少なくとも２つの第１の堰板のうちの他方の堰板の傾斜した舌状部が前記少なくとも２つの第２の堰板のうちの他方の堰板の傾斜した舌状部間に挿入されていること、
−  前記少なくとも２つの第１の堰板および第２の堰板の舌状部を担持していない少なくとも１つの側に、側方堰板を位置づけし維持する工程、
−  必要な場合、前記少なくとも２つの第１の堰板および第２の堰板の延長部分内に補足的堰板を位置づけするのと同時に、第１のゾーンを含めた前記少なくとも３つのゾーンを形成するため、および／または前記少なくとも２つの第１の堰板および第２の堰板に対して補足的側方堰板を位置づけするために、前述の各工程を反復する工程、
−  建築アセンブリの製造のために前記少なくとも１つの型枠の構築が完了した時点で、コンクリート、セメント、粘土または結合剤または砂袋タイプの硬化性材料を単数の第１のゾーンまたは第１のゾーンの各々の中に導入する工程、
−  必要な場合、前記少なくとも３つのゾーンの残りのゾーン内に材料を導入する工程、
を特徴とする、このような建築アセンブリの製造方法が想定されている。
【００２１】
本発明の用途、目的ならび特徴および利点は、以下の添付図面によって例示されている本発明の一実施形態の詳細な説明からより良く明らかになるものである。
【図面の簡単な説明】
【００２２】
【図１】本発明に係る型枠堰板の一実施形態の、この実施形態についてのこの型枠堰板の寸法を伴う上面図の概略的表現である。
【図１ａ】図１の型枠堰板の横断面図の概略的表現である。
【図２】少なくとも８個の型枠堰板を含む本発明に係る型枠の、一実施形態の側面図の概略的表現である。
【図３】型枠堰板内に存在するさまざまな要素の詳細を伴う本発明に係る型枠堰板についての図１に示された一実施形態の上面図の概略的表現である。
【図４】図３の型枠堰板の横断面図の概略的表現である。
【図５】図３および４に示された型枠堰板の斜視図の概略的表現である。
【図６】少なくとも４つの型枠堰板を含む本発明に係る型枠の一実施形態の斜視図の概略的表現である。
【図７】本発明に係る型枠の一実施形態の横断面図の概略的表現である。
【図８】２つの壁、１つの床および１つのヴォールトを含み、本発明に係る少なくとも１つの型枠から製造された建築アセンブリの断面図の概略的表現である。
【図９】本発明に係る少なくとも１つの型枠から製造された建築アセンブリ内のヴォールトと壁の接合部の詳細の斜視図による概略的表現である。
【図１０】２つの第２の型枠堰板に対面した２つの第１の型枠堰板を含む本発明の一実施形態に係る型枠の斜視図による概略的表現であり、この図では、型枠堰板の傾斜した舌状部により画定されたゾーンが見られる。
【図１１】図１０に係る型枠の実施形態の側面斜視図の概略的表現であり、この図では、傾斜した舌状部により画定された少なくとも３つのゾーンを識別すると共に、第１および第２の型枠堰板間の容積が特に良く見える。
【図１２】本発明に係る型枠堰板の一実施形態の側面斜視図の概略的表現である。
【図１３】図１２に係る型枠堰板の下面斜視図の概略的表現である。
【図１４】型枠堰板の輸送向けスタックの上面斜視図の概略的表現であり、各型枠堰板は、図１２および１３に示されているものと類似のものである。
【００２３】
図面は、例として提供されており、本発明を限定するものではない。図面は、本発明の理解を促すことを目的とする原理の概略的表現を構成しており、必ずしも実際の応用における原寸に比例しているわけではない。詳細には、異なる部品の寸法は、現実を表現するものではない。
【発明を実施するための形態】
【００２４】
本発明の実施形態を詳細に説明する前に、場合によって組み合わせて、または代替的に使用することのできる任意の特徴について以下で述べる。
−  傾斜した舌状部の各傾斜した部分は、平担な遠位端部部分と同様、中央本体に結び付けられた平坦な舌状部の部分とも一定の角度を成し、この角度は１００°〜１２０°、好ましくは１１０°〜１１５°である。
−  前記角度は１１２°に等しい。
−  各々の傾斜した舌状部の傾斜した部分は、平担な連結部分により中央本体に結び付けられている。
−  中央本体の舌状部を担持しない側は、各々タブを担持している。このことは、舌状部を担持しない側への堰板の一体化にとって有利である。
−  第１の側の第１系列の平坦な舌状部は第２の側の第２系列の平坦な舌状部との関係においてずれており、第１系列の各々の平坦な舌状部は第２系列の２つの平坦な舌状部の間の間隔と整列させられており、およびその逆も成立し、２つの平坦な舌状部系列のうちの一方は他方の系列よりも１つ多い舌状部を含み、１つ多い舌状部を伴う前記平坦な舌状部系列に付随する傾斜した舌状部のセットは１つ少ない傾斜した舌状部を含んでいる。実際、以下で見ていくように、平坦な舌状部の目的は、別の型枠堰板による型枠堰板の延長を確保することにある。平坦な舌状部系列のこのような非対称性のため、第１の平坦な舌状部系列を担持する第１の堰板の第１の側を、別の堰板の第２の平坦な舌状部系列を担持する第２の側と一体化させることが可能となる。したがって、全ての型枠堰板は、場合によって型枠の端部堰板を除き同一であり、それらの舌状部系列は非対称性を有し、このため唯一のタイプの堰板のみを使用して１つの型枠を製造することが可能になる。
−  第１および第２の系列の平坦な舌状部の数はそれぞれ３つおよび４つであり、一方第１および第２のセットの傾斜した舌状部の数はそれぞれ４つおよび３つである。
−  第１および第２の系列の同一系列の平坦な舌状部の幅は、この系列の全ての舌状部について一定であり、第１および第２系列のうち一方の系列の平坦な舌状部間の間隔の幅は、もう一方の系列の平坦な舌状部の幅と等価である。
−  堰板は、木製であるかまたは凝集小片をベースとしている。
−  堰板は成形によって得られる。
−  型枠については、前記少なくとも２つの第１の堰板の傾斜した舌状部の平坦な遠位端部部分は、前記少なくとも２つの第２の堰板上に載置されており、その逆も成立する。これらの平坦な遠位端部部分は、対面する傾斜した舌状部と、型枠堰板の間のより良好な接触を可能にする。
−  型枠は、舌状部を有していない１つの側で前記少なくとも２つの第１および第２の堰板に隣接しながら前記少なくとも２つの第１および第２の堰板に対して側方に配置された型枠堰板を含み、各型枠堰板は、舌状部を担持していない各々の側に側方タブを有しており、各堰板の側方タブが、側方にかつ逆転して設置された１つの堰板の本体と協働して、２つの堰板を互いとの関係において維持している。これは、常に唯一の同じタイプの堰板を使用して側方に設置された２つの堰板を一体化する単純かつ有効な手段を表している。
−  前記２つの第１の堰板のうちの一方の堰板の平坦な舌状部は、前記２つの第１の堰板のうちの他方の堰板の平坦な舌状部の間の間隔の中に進入し、前記２つの第２の堰板のうちの一方の堰板の平坦な舌状部は、前記２つの第２の堰板のうちの他方の堰板の平坦な舌状部間の間隔の中に進入する。こうして、平坦な舌状部の延伸方向に直交する方向での舌状部間のあそびは存在し得ない。
−  前記少なくとも３つのゾーンの第１のゾーンは、一方では、前記少なくとも２つの第２の堰板のうちの一方の堰板の傾斜した舌状部間に挿入される前記少なくとも２つの第１の堰板のうちの一方の堰板の傾斜した舌状部によって、そして他方では前記少なくとも２つの第２の堰板のうちのもう一方の堰板の傾斜した舌状部間に挿入される前記少なくとも２つの第１の堰板のうちのもう一方の堰板の傾斜した舌状部によって画定されており、前記第１のゾーンは、それぞれ、前記少なくとも２つの第１および第２の堰板の互いの延長部分内の接合部のレベルに存在する。後でより詳細に説明する通り、縮小された容積の第１のゾーンの創出は、建築アセンブリが未完成の状態で組立てられている最中でさえ、型枠を固化させるために極めて有利である。
−  ２つの第１および第２の堰板に付随する傾斜した舌状部はＸ字形を形成し、それぞれ第１のゾーンの各辺を閉鎖している。Ｘ字形形状は、第１および第２の堰板に対して横断方向で第１のゾーンの複数の側を画定するために有利であり、こうして第１のゾーンの封じ込めに貢献する。
−  建築アセンブリ内で前記少なくとも３つのゾーンのうちの少なくとも第１のゾーンには硬化性材料が充填される。
−  この建築アセンブリにおいて、型枠にはネジタイプの固定用手段が横断しており、これらの固定用手段は、前記少なくとも３つのゾーンのうちの少なくとも第１のゾーンの充填後に選択的材料内に埋設される。これらの固定手段は、そのとき硬化された材料の中で型枠の固定点を形成し、型枠のさまざまな要素の互いとの関係における維持を強化し、こうして自己安定化した型枠が得られる。
【００２５】
全ての図、とりわけ図１、３〜５および１１〜１４を参照すると、本発明の第１の態様において、本発明は、特に図２、６〜１１において１１という参照番号が付される型枠の一要素となる型枠堰板１０に関する。
【００２６】
型枠堰板１０は、２つの相対する側の各々に２つのタイプの舌状部すなわち平坦な舌状部１、３および傾斜した舌状部４、７を担持する矩形の平担な中央本体６を含む。
【００２７】
中央本体６は、第１の側で第１系列の平坦な舌状部１によって、かつ反対側の第２の側では第２系列の平坦な舌状部３によって延長されている。平坦な舌状部１、３は、同一系列の平坦な舌状部１、３間に間隔を残しながら、本体６の平面内に延在している。平坦な舌状部１、３は、有利には、矩形形状を有し、その長さは、これらの平坦な舌状部をそれぞれ担持する相対する側に直交する。
【００２８】
型枠堰板１０はさらに、第１および第２の傾斜した舌状部４、７；２、７のセットを有する。第１セットの各々の傾斜した舌状部４、７は、第１系列の２つの平坦な舌状部１間の間隔内に延在し、第２セットの各々の傾斜した舌状部２、７は、第２系列の２つの平坦な舌状部３間の間隔内に延在している。第１および第２セットの傾斜した舌状部４、７；２、７は、各々傾斜した部分２、４と平坦な舌状部１、３に平行に延在する平坦な遠位端部部分７とを含んで、平担な中央本体６から離れる方向に傾斜している。
【００２９】
有利には、各々の傾斜した舌状部４、７；２、７は、各々の傾斜した舌状部４、７；２、７の傾斜した部分２、４の前で、図１、１ａ、４、１３および１４に特に良く見える連結部分８によって本体６に連結され得る。この連結部分８は、有利には、平坦な舌状部１、３に対して平行に延在して平担である。
【００３０】
特に図１ａおよび４に示されている通り、傾斜した舌状部４、７；２、７の各傾斜した部分２、４は、平担な遠位端部部分７と一定の角度を成し、この角度は１００°〜１２０°、好ましくは１１０°〜１１５°である。その結果、遠位端部部分７は平坦な舌状部１、３に平行であることから、傾斜した舌状部４、７；２、７の各々の傾斜した部分２、４と中央本体６に結び付けられた平坦な舌状部１、３の部分との間には、同じ角度が存在することになる。有利には、前記角度は１１２°に等しい。
【００３１】
本発明の好ましい一実施形態において、舌状部１、４、７；３、２、７を担持しない中央本体６の側は各々、タブ５を担持している。後で詳述する通り、このタブ５は、堰板１０に対し側方に配置された堰板との関係における型枠堰板１０の維持に役立つ。側方堰板とは、平坦な舌状部１、３を含まない１つの側により１つの堰板に隣接しているあらゆる堰板を意味する。
【００３２】
建築アセンブリにおいては、側方堰板が、例えば壁の場合のように隣接する堰板と同じ垂直平面内で、あるいは例えばヴォールトの場合のように垂直に対してわずかに傾斜した平面内で、あるいは例えば平担な天井または床の場合のように隣接する堰板と同じ水平平面内で、その隣接する堰板の上に存在することが可能である。このことは、以下でより厳密に詳述する図９で見ることができる。
【００３３】
本発明の好ましい一実施形態において、第１の側の第１系列の平坦な舌状部１は、第２の側の第２系列の平坦な舌状部３との関係においてずれており、こうして第１系列の各々の平坦な舌状部１が第２系列の２つの平坦な舌状部３の間の間隔と整列させられており、その逆も成立する。
【００３４】
この結果、図１、３〜５および１１〜１４の２つの平坦な舌状部系列１、３のうちの一方、すなわち平坦な舌状部を担持する系列３は、他方の系列よりも１つ多い舌状部を含む。１つ多い舌状部を含む前記平坦な舌状部系列１に付随する傾斜した舌状部２、７のセットはこのとき、１つ少ない傾斜した舌状部２、７を含んでいる。
【００３５】
特に図１０に示されている通り、これが必要となるのは、別の型枠堰板１０およびその平坦な舌状部１の延長部分の中に配置される型枠堰板１０ａの一方の側の舌状部３が、別の型枠堰板１０の舌状部１の間に進入するという事実に起因している。延長部分なる用語の意味は、平坦な舌状部１、３を担持する堰板１０から離れる方向の平坦な舌状部１、３の延在方向に対し平行であることとして解釈すべきである。
【００３６】
こうして、第１および第２の平坦な舌状部系列の平坦な舌状部１、３の数はそれぞれ３つおよび４つであり得、一方第１および第２の傾斜した舌状部セットの傾斜した舌状部４、７；２、７の数はそれぞれ４つおよび３つであり得る。このことは限定的ではなく、平坦な舌状部または傾斜した舌状部の数は、別の数であってよいが、間隔の内部へ傾斜した舌状部４、７；２、７の挿入を可能にする平坦な舌状部１、３間の間隔を伴うこれらの配置は、２つの平坦な舌状部系列１、３間のずれと同様に存続する。
【００３７】
同様にして、第１および第２の系列の同一系列の平坦な舌状部１、３の幅は、この系列の全ての舌状部について恒常であり、第１および第２系列のうち一方の系列の平坦な舌状部１、３間の間隔の幅は、他方の系列の平坦な舌状部３、１の幅と等価である。
【００３８】
有利には型枠堰板１０は、木製であるかまたは凝集小片をベースとしてよい。この堰板１０は、有利には成形可能なあらゆる材料で成形される。したがって型枠堰板１０は、成形プロセスにより大量に再現可能である。
【００３９】
図１に示されている通り、型枠堰板１０は、その本体６全体が矩形で、非限定的に、タブ５を含め１．１８メートルの幅と、平坦な舌状部１、３を含め１．２０メートルの長さを有し得る。このような型枠堰板１０の厚みは、１〜２ｃｍであり得る。堰板１０の本体６は１．０４メートル×０．４０メートルであり得る。平坦な舌状部１、３は、長さ０．４０メートル、幅０．１５メートルであり得、２つの平坦な舌状部１、３間の間隔も同様に０．１５メートルであり得る。
【００４０】
タブ５は、０．２０つまり堰板１０の本体６の幅の半分の幅を有しながら、０．０７メートルだけ型枠堰板１０から側方に突出し得る。
【００４１】
傾斜した舌状部２、７；４、７の遠位端部部分７は、一辺が０．１５メートルの正方形であり得る。連結部分８は、本体６から離れる方向に、そして平坦な舌状部１、３の長さに対して平行に幅０．１５メートルを有しながら、０．１０メートル延在し得る。特に図１ａに示されている通り、傾斜した舌状部２、７；４、７の傾斜した部分２、４は、０．１３ｍの高さを有することができ、先に言及した通り、遠位端部部分７と１１２°という好ましい角度を成すことができる。
【００４２】
型枠堰板１０の１〜２センチメートルの厚みおよび軽量さにより、図１４で視覚化されている通り、多数の堰板１０をパレット上に積み重ねることにより保管することができる。このため、輸送は容易になり、外形寸法は小さくなり、場合によって輸送車両の燃費が節約できる。
【００４３】
本発明の第２の態様によると、本発明は、特に図２、５〜９、１０、１１に例示されている型枠に関するが、これらの図に記載されていない参照番号については他の図が参照される。このような型枠は、組立てが極めて単純であり、そのため、あらゆる人がこれを使用できる。
【００４４】
この型枠１１は、先に説明した型枠堰板１０に類似した少なくとも４つの型枠堰板１０、１０ａ、１０ｂ、１０ｃを含んでいる。前記少なくとも４つの堰板１０、１０ａ、１０ｂ、１０ｃは、好ましくは、それらが型枠１１の端部堰板でない場合、同一である。
【００４５】
このような型枠には、本体６が同一の第１の平面内に配置されるような形で互いに接合している少なくとも２つの第１の型枠堰板１０、１０ａと、本体６が第１の平面に対し平行でありながら第１の平面とは異なる同一の第２の平面内に配置されるような形で互いに接合する少なくとも２つの第２の型枠堰板１０ｂ、１０ｃとを含む。
【００４６】
前記少なくとも２つの第１の堰板１０、１０ａおよび第２の堰板１０ｂ、１０ｃは、互いに距離を置いてかつ背中合せで、すなわちその傾斜した舌状部４、７；２、７が、第１の堰板１０、１０ａおよび第２の堰板１０ｂ、１０ｃの間に間置される容積９を少なくとも部分的に画定するように対面する形で配置されている。
【００４７】
この容積９は、堰板１０、１０ａ、１０ｂ、１０ｃの傾斜した舌状部４、７；２、７の高さにより画定され、したがって、第１の堰板１０、１０ａと第２の堰板１０ｂ、１０ｃの間に延在する。第１の堰板１０、１０ａと第２の堰板１０ｂ、１０ｃの間のその離隔距離は、０．１３ｍであり得、これは堰板１０、１０ａ、１０ｂ、１０ｃからはみ出す傾斜した舌状部４、７；２、７の高さに対応する。
【００４８】
前記少なくとも２つの第１および第２の堰板１０、１０ａ、１０ｂ、１０ｃの傾斜した舌状部４、７；２、７は、協働して、傾斜した舌状部４、７により少なくとも部分的に画定された周囲を有する少なくとも３つのゾーンＡ、Ｂを前記容積９内に形成するように成型されている。
【００４９】
前記少なくとも２つの第１の堰板１０、１０ａの傾斜した舌状部４、７；２、７の平坦な遠位端部部分７は、前記少なくとも２つの第２の堰板１０ｂ、１０ｃ上に載置されていてよく、その逆も成立する。
【００５０】
前記少なくとも３つのゾーンは、傾斜した舌状部１、３の長さに直交して取られた型枠１１の寸法内の傾斜した舌状部４、７；２、７によって完全に画定されたいわゆる第１のゾーンＡであるゾーンを含むことができる。この第１のゾーンＡは、型枠１１の製作の際に型枠１１の安定性において１つの役割を果たすことから、以下でより厳密に記載されるものとする。
【００５１】
図９に示されているように、特に側方に、すなわち平坦な舌状部１、３の長さに直交して、したがって前記少なくとも２つの第１の堰板１０、１０ａおよび第２の堰板１０ｂ、１０ｃの延長方向のひと続きに直交して型枠１１を拡大するために、型枠１１は、側方型枠堰板１０ｄ〜１０ｇを含んでおり、これらの堰板１０ｄ〜１０ｇは、前記少なくとも２つの第１の堰板１０、１０ａおよび第２の堰板１０ｂ、１０ｃに対し側方に配置されている。
【００５２】
この図９では、この目的で、前述の通り、各型枠堰板１０、１０ａ〜１０ｇは、舌状部１、４、７；３、２、７を担持しない各々の側に側方タブ５を有している。各堰板１０ｂ、１０ｃの側方タブ５は、側方堰板１０ｄ、１０ｅの本体６と協働して、２つの堰板を互いとの関係において維持する。建築アセンブリの製造中、図１０に示されている通り、タブ５は型枠１１の垂直方向組立てに貢献できる。
【００５３】
図９では、前記少なくとも２つの第１の堰板１０、１０ａに付随する側方堰板が省略されているため、前記少なくとも２つの第２の堰板の堰板１０ｂおよび１０ｃのみが、側方堰板１０ｄおよび１０ｅを有している。堰板１０ｂまたは１０ｃとの関係における側方堰板１０ｄまたは１０ｅの位置づけの際には、堰板１０ｂまたは１０ｃのタブ５は、側方堰板１０ｄまたは１０ｅの本体の上を通過し、その逆も成立する。
【００５４】
このことは、２つの第２の堰板１０ｂ、１０ｃとの関係においてそれ自体側方に配置されている側方堰板１０ｄまたは１０ｅに対して側方に配置された側方堰板１０ｆまたは１０ｇについて適用可能であり続け、以降も同様である。当然のことながら、このことは、図９には例示されていないものの、前記少なくとも２つの第１の堰板１０、１０ａについて有効である。
【００５５】
図９では、側方堰板１０ｄ〜１０ｇは、それぞれの隣接堰板の上方にあり、ほぼ垂直なアセンブリを形成する。この場合、前記少なくとも３つのゾーンの単数または複数の第１のゾーンＡは、重ね合わされた隣接する堰板の系列１０ｃ、１０ｅ、１０ｇ；１０ｂ、１０ｄ、１０ｆに対して横断方向でほぼ垂直に延在する。このことは、重力によって容易になる第１のゾーンＡの充填にとって有利であり、ここで材料は、最も高い最後の側方堰板１０ｆ、１０ｇから単数または複数の第１のゾーンＡへの充填が開始された時点で、単数または複数の第１のゾーンＡ全体の中により容易に、有利には流動しながら進入する。
【００５６】
全ての図を参照すると、好ましい一実施形態において、前記２つの第１の堰板１０、１０ａのうちの一方の堰板１０の平坦な舌状部１、３は、前記２つの第１の堰板１０、１０ａのうちの他方の堰板１０ａの平坦な舌状部１、３の間の間隔の中に進入し、その逆も成立する。同様にして、前記２つの第２の堰板１０ｂ、１０ｃのうちの一方の堰板１０ｂの平坦な舌状部１、３は、前記２つの第２の堰板１０ｂ、１０ｃのうちの他方の堰板１０ｃの平坦な舌状部１、３間の間隔の中に進入し、その逆も成立する。
【００５７】
このことは、型枠堰板１０の２つの側の各々での平坦な舌状部１、３のずれによって、および平坦な舌状部１、３と同一系列の舌状部１、３の各々を分離するそれらの間隔の幅が同じであることによって、可能になっている。
【００５８】
全ての図そして詳細には図１ａ、２、６、７、１０および１１を参照すると、本発明の好ましい一実施形態において、前記３つのゾーンＡ、Ｂの第１のゾーンＡは、一方では、前記少なくとも２つの第２の堰板１０ｂ、１０ｃのうちの一方の堰板１０ｂの傾斜した舌状部４、７；２、７間に挿入される前記少なくとも２つの第１の堰板１０、１０ａのうちの一方の堰板１０の傾斜した舌状部４、７；２、７によって画定されている。
【００５９】
他方では、第１のゾーンＡは、前記少なくとも２つの第２の堰板１０ｂ、１０ｃのうちの他方の堰板１０ｃの傾斜した舌状部４、７；２、７間に挿入される前記少なくとも２つの第１の堰板１０、１０ａのうちのもう一方の堰板１０ａの傾斜した舌状部４、７；２、７によって画定されている。第１のゾーンＡは、それぞれ、前記少なくとも２つの第１の堰板１０、１０ａおよび第２の堰板１０ｂ、１０ｃの互いの延長部分内の接合部のレベルに存在する。
【００６０】
この実施形態において、２つの第１および第２の堰板１０、１０ｂ、１０ａ、１０ｃに付随する傾斜した舌状部４、７；２、７は、Ｘ字形を形成し、それぞれ第１のゾーンＡの各側を閉鎖している。したがって、第１のゾーンＡは、第１の堰板１０、１０ａおよび第２の堰板１０ｂ、１０ｃのそれぞれの延長部分に直交する堰板１０、１０ａ、１０ｂ、１０ｃの横断方向において区画化される。
【００６１】
特に図１１を見れば分かるように、第１のゾーンＡは、ゾーンＢの断面よりも縮小された断面を有し、第１および第２の補足的堰板が前記少なくとも２つの第１および第２の堰板１０、１０ｂ；１０ａ、１０ｃに付加された場合にしかその２つの相対する側で区画化されないゾーンＢに比べて、より良く区画化されている。ゾーンＡは、その各側でゾーンＢにより取囲まれている。
【００６２】
したがって、複数の堰板１０、１０ａ〜１０ｇの組立てにより、壁、ヴォールトまたは他の建築アセンブリを構築するのに役立つ自己安定化型の捨て型枠１１の製作が可能になる。
【００６３】
全ての図、特に図８を参照すると、本発明の別の態様によると、本発明は、少なくとも壁１３または床１４またはヴォールト１５または天井１６を含むタイプの建築アセンブリ１２〜１５において、このアセンブリが少なくとも１つの型枠１１を含み、前記少なくとも３つのゾーンＡ、Ｂがコンクリート、セメント、粘土、藁、土、結合剤タイプの選択的材料で充填されている建築アセンブリに関する。このようなアセンブリは同様に、これらの要素１２〜１５のうちの２つまたは複数を含むことができ、あるいは、これらの要素１２〜１５の全てを含んで、完全な建築アセンブリを形成することもできる。
【００６４】
全く限定的な意味なく、一例として、床１４は４メートルの長さ、壁１３は２．０３ｍの高さを有することができ、天井１６は、壁１３との関係においてヴォールト要素１５により嵩上げされて３．４２メートルの高さを有することができる。
【００６５】
全ての図を参照すると、２つの第１の堰板１０、１０ａおよび２つの第２の堰板１０ｂ、１０ｃを含む各型枠１１について第１のゾーンＡが存在し得る。型枠１１は、２つ超の第１および第２の堰板１０、１０ａ、１０ｂ、１０ｃを含み得ることから、有利には、２つの第１の堰板および２つの第２の堰板の群１０、１０ａ、１０ｂ、１０ｃと同数の第１のゾーンＡが存在し得る。
【００６６】
型枠１１の単数または複数の第１のゾーンＡおよび他のゾーンＢは、逐次的に充填され得、まずは型枠を固化させるために第１のゾーンＡを、その後場合によっては他のゾーンＢの残りを充填することができる。単数または複数の第１のゾーンＡの材料は、硬化可能で、有利には速硬性であって、型枠１１を最も急速に固化させることができる。
【００６７】
１つまたは複数の第１のゾーンＡの、例えばコンクリート、セメント、圧縮粘土、または有利には硬化可能な他のあらゆる材料による充填は、型枠堰板１０、１０ａ〜１０ｄ相互間の離隔を防ぐ。
【００６８】
本発明の好ましい一実施形態において、型枠１１には、ネジタイプの固定用手段が横断していてよく、図示されていないこれらの固定用手段は、前記少なくとも３つのゾーンＡ、Ｂのうちの少なくとも１つの充填後に、選択的材料内に埋設される。全ての固定は、５センチメートル超のネジにより型枠１１の外側から内側に向かうネジ締めにより行なわれる。このことは、限定的ではないが特に単数または複数の第１のゾーンＡに有効である。
【００６９】
単数または複数の第１のゾーンＡの硬化後、ゾーンＢを、コンクリート、土または藁といったあらゆる種類の材料で充填することができる。同様に、関連する建築アセンブリが強化された安定性を有する必要がない場合には、これらのゾーンに充填しないことも可能である。
【００７０】
図８を見れば分かるように、本発明によると、直線要素およびアーチ形要素を含むことのできる建築アセンブリを実現することができる。これらの建築アセンブリは、例えば住宅を形成することができる。１つの型枠堰板を高さ方向で２つに切断して、型枠１１の２つの縁部堰板を得ることができる。
【００７１】
全ての図を参照すると、本発明の最後の態様によると、本発明は、少なくとも２つの第１の堰板１０、１０ａを得るために、一方の堰板の平坦な舌状部１、３を他方の堰板の平坦な舌状部３、１間の間隔の中に挿入することによって互いの延長部分の中に配置された少なくとも２つの堰板１０、１０ａを一体化する工程を伴う、建築アセンブリ１２〜１５の製造方法に関する。
【００７２】
並行して、少なくとも２つの第２の堰板１０ｂ、１０ｃを得るために、一方の堰板の平坦な舌状部１、３を他方の堰板の平坦な舌状部間の間隔の中に挿入することによって互いの延長部分の中に配置された２つの堰板を一体化する工程も実施される。
【００７３】
方法の後続する工程は、前記少なくとも２つの第１の堰板１０、１０ａおよび２つの第２の堰板１０ｂ、１０ｃを、それらの傾斜した舌状部４、７；２、７が対面した形で位置づけする工程、そしてその後、前記少なくとも２つの第１の堰板１０、１０ａの傾斜した舌状部４、７；２、７の平坦な遠位端部部分７が、前記少なくとも２つの第２の堰板１０ｂ、１０ｃ上に載置させられるまで、およびその逆まで、前記少なくとも２つの第２の堰板１０ｂ、１０ｃの傾斜した舌状部４、７；２、７間に前記少なくとも２つの第１の堰板１０、１０ａの傾斜した舌状部４、７；２、７を挿入する工程に関する。堰板１０、１０ａ、１０ｂ、１０ｃに接して対面して置かれるのは、傾斜した舌状部４、７；２、７の有利には平坦である遠位端部７である。
【００７４】
前記少なくとも２つの第１の堰板１０、１０ａおよび第２の堰板１０ｂ、１０ｃの傾斜した舌状部４、７；２、７は、このとき前記少なくとも２つの第１の堰板１０、１０ａと前記少なくとも２つの第２の堰板１０ｂ、１０ｃの間の容積９の中で少なくとも３つのゾーンＡ、Ｂを少なくとも部分的に画定している。
【００７５】
第１のゾーンＡの１つの側は、前記少なくとも２つの第２の堰板１０ｂ、１０ｃのうちの一方の堰板１０ｂの傾斜した舌状部４、７；２、７間に挿入されている、前記少なくとも２つの第１の堰板１０、１０ａのうちの一方の堰板１０の傾斜した舌状部４、７；２、７によって画定される。第１のゾーンＡの反対側のもう一つの側は、前記少なくとも２つの第２の堰板１０ｂ、１０ｃのうちのもう一方の堰板１０ｃの傾斜した舌状部４、７；２、７間に挿入されている、前記少なくとも２つの第１の堰板１０、１０ａのうちのもう一方の堰板１０ａの傾斜した舌状部４、７；２、７によって画定されている。したがって、第１のゾーンＡは、容積９内で堰板１０、１０ａ、１０ｂ、１０ｃに対して横断方向に、すなわち型枠堰板１０、１０ａ、１０ｂ、１０ｃの平坦な舌状部１、３に直交して、このように画定されている。
【００７６】
次の工程は、前記少なくとも２つの第１の堰板１０、１０ａおよび第２の堰板１０ｂ、１０ｃの舌状部を担持していない少なくとも１つの側に、側方堰板１０ｅ〜１０ｇを位置づけし維持する工程である。これは、前記側方堰板１０ｅ〜１０ｇの各々を、前記少なくとも２つの第１の堰板１０、１０ａおよび第２の堰板１０ｂ、１０ｃのうちのその堰板との関係においてタブ５により維持することによって、およびその逆によって行なうことができる。
【００７７】
必要な場合、連続した２つ以上の第１および第２の堰板１０、１０ａ、１０ｂ、１０ｃおよび場合によって複数の側方堰板１０ｅ〜１０ｇを含む型枠１１については、前記少なくとも２つの第１の堰板１０、１０ａおよび第２の堰板１０ｂ、１０ｃ内に補足的堰板を位置づけするのと同時に、第１のゾーンＡを含めた前記少なくとも３つのゾーンＡ、Ｂを形成するため、前述の各工程が反復される。
【００７８】
このことは同様に、補足として、あるいは代替として、前記少なくとも２つの第１の堰板１０、１０ａおよび第２の堰板１０ｂ、１０ｃに対して補足的側方堰板１０ｆ、１０ｇを位置づけするためにも実施され得る。これらの補足的側方堰板１０ｆ、１０ｇは、例えば、すでに位置づけされた側方堰板１０ｅ、１０ｆとの関係において、または第１の堰板１０、１０ａおよび第２の堰板１０ｂ、１０ｃの平坦な舌状部１、３が備わっていない他方の反対の側に位置づけされ得る。
【００７９】
本発明の方法の最後の２つの工程においては、建築アセンブリ１２〜１５の製造のために前記少なくとも１つの型枠１１の構築が完了した時点で、コンクリート、セメント、粘土または結合剤タイプの材料が、単数の第１のゾーンＡまたは第１のゾーンＡ各々の中に、有利には流し込みにより導入され、その後場合によっては、前記少なくとも３つのゾーンＡ、Ｂの残りのゾーンＢ内に材料が導入される。
【００８０】
前述の全ての特徴と組み合わせることのできる別の一実施形態によると、本発明は、凝集小片からなる成形木材または他のあらゆる成形可能な製品で成形された型枠堰板に関する。
【００８１】
図１４に視覚化されている通り、堰板の１ｃｍ〜２ｃｍの厚み、および軽量さによって、多数の堰板をパレット上で積み重ねることにより保管することが可能となり、輸送の容易さ、燃費の節約および小さい外形寸法が確保される。組立てが単純であることから、あらゆる人が使用できる。
【００８２】
図１によって寸法が詳述されている堰板は、成形木材または他のあらゆる成形可能な製品での成形により製造される。これらの堰板を複数組立てることによって、壁、ヴォールトまたは他の構造物を建設するための自己安定化型の捨て型枠を作製することができる。図２、１０および１１に提示されているこの型枠は、これらの同一の堰板４つの組み合わせにより、コンクリートまたは圧縮粘土を充填した後の堰板同士の離隔を防ぐゾーンＡを含んでいることを特徴としている。ゾーンＡの硬化後、続いてゾーンＢに、コンクリート、土または藁などのあらゆる種類の材料を充填することができる。
【００８３】
堰板は、水平方向の組立てを可能にする一方の側に３つ、他方の側に７つの計７つの１５ｃｍの水平方向部分および、垂直方向の組立てのための、堰板の上方に１つ下方に１つの計２つの７ｃｍのタブで構成されている。１３ｃｍという型枠の奥行を実現するためには、堰板は、図３、４、５、６および７に印付けされている１つの平担な表面で終わる１１２°傾斜した７つの舌状部により互いに背中合せで固定されている。２つのタブは、上部および下部ゾーンの背面に設置される。奥行方向の組立ては、堰板上で舌状部を背中合せに固定することによって行なわれる。全ての固定は、３０型枠の充填用製品内に埋設される５ｃｍ超のネジを用いて、型枠の外側から内側に向かうネジ締めにより行なわれる。
【００８４】
図８に示されているように、この方法は、直線およびアーチ形の住宅を実現できるようにする。高さ方向に２つに切断された堰板が、２つの縁部堰板となる。図１２および図１３は、堰板を３次元で視覚化している。この堰板は、成形プロセスによって無限に再現可能である。
【００８５】
本発明に係る堰板は、以下の特徴を有することができる。
【００８６】
堰板は、凝集小片でできた成形木材または他のあらゆる成形可能な製品で成形された型枠堰板であり、これらの同一の堰板４つの組み合わせにより、コンクリートまたは圧縮粘土を充填した後の堰板同士の離隔を防ぐゾーンＡを含んでいることを特徴としている。
【００８７】
堰板には、図３、４、５、６および７に印付けされている１つの平担な表面で終わり１１２°傾斜し、堰板を互いに背中合せで固定できるようにする７つの舌状部が備えられている。
【００８８】
堰板には、図３および５にある通り、堰板の水平方向の組立てを可能にする１５ｃｍの水平方向部分が７つ備えられている。
【００８９】
堰板には、垂直方向の組立てのための７ｃｍの２つのタブが、堰板の上方および下方に備えられている。
【００９０】
本発明は、以上で説明されている実施形態に限定されず、クレームにより網羅される全ての実施形態に及ぶものである。
【符号の説明】
【００９１】
１  平坦な舌状部
２  傾斜した部分
３  平坦な舌状部
４  傾斜した部分
５  タブ
６  本体
７  遠位端部部分
８  連結部分
９  容積
１０  型枠堰板
１０ａ  第１の堰板
１０ｂ、１０ｃ  第２の堰板
１０ｄ〜１０ｇ  側方堰板
１１  型枠
１２  建築アセンブリ
１３  壁
１４  床
１５  ヴォールト
１６  天井
Ａ、Ｂ  ゾーン
【図１】
0006502471.tif 000002
【図１ａ】
0006502471.tif 000003
【図２】
0006502471.tif 000004
【図３】
0006502471.tif 000005
【図４】
0006502471.tif 000006
【図５】
0006502471.tif 000007
【図６】
0006502471.tif 000008
【図７】
0006502471.tif 000009
【図８】
0006502471.tif 000010
【図９】
0006502471.tif 000011
【図１０】
0006502471.tif 000012
【図１１】
0006502471.tif 000013
【図１２】
0006502471.tif 000014
【図１３】
0006502471.tif 000015
【図１４】
0006502471.tif 000016